【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
ＤＣ−ＤＣ電圧コンバータのための電力段であって、
供給電圧入力と、
前記供給電圧入力に結合されるドレインと、前記ＤＣ−ＤＣ電圧コンバータの出力に結合される第１のノードに結合されるソースと、ゲートとを含むハイサイドｎチャネルトランジスタと、
前記供給電圧入力に結合されるソースと、前記第１のノードに結合されるドレインと、ゲートとを含むハイサイドｐチャネルトランジスタと、
前記第１のノードに結合されるドレインと、接地に結合されるソースと、ゲートとを含むローサイドｎチャネルトランジスタと、
前記供給電圧入力に結合される供給電圧に関する情報を受け取るように動作し得る制御回路要素であって、
前記供給電圧が所定の閾値を下回る場合に、前記ハイサイドｐチャネルトランジスタのゲートに前記供給電圧に実質的に等しい定電圧を提供することによって前記ハイサイドｐチャネルトランジスタを非活性化する一方で、前記ハイサイドｎチャネルトランジスタを前記ＤＣ−ＤＣ電圧コンバータのアクティブハイサイドトランジスタとして機能させ、
前記供給電圧が所定の閾値を上回る場合に、前記ハイサイドｎチャネルトランジスタを非活性化する一方で、前記ＤＣ−ＤＣ電圧コンバータの出力電圧をレギュレートするために前記ハイサイドｐチャネルトランジスタのゲートに提供されるゲート駆動信号のデューティサイクルをレギュレートすることによって前記ハイサイドｐチャネルトランジスタを前記ＤＣ−ＤＣ電圧コンバータの前記アクティブハイサイドトランジスタとして機能させる、
ように更に動作し得る、前記制御回路要素と、
を含む、電力段。
【請求項２】
請求項１に記載の電力段であって、
前記ハイサイドｎチャネルトランジスタのゲートに提供される前記ゲート駆動信号の電圧をブーストするように動作し得るチャージポンプ回路を更に含む、電力段。
【請求項３】
請求項１に記載の電力段であって、
前記供給電圧が前記所定の閾値電圧を上回る場合に、前記制御回路要素が、前記ハイサイドｎチャネルトランジスタを非活性化するために前記ハイサイドｎチャネルトランジスタのゲートに０ボルトに実質的に等しい定電圧を提供し、前記ＤＣ−ＤＣ電圧コンバータの出力電圧をレギュレートするために前記ハイサイドｐチャネルトランジスタのゲートに提供される前記ゲート駆動信号のデューティサイクルをレギュレートする、ように更に動作し得る、電力段。
【請求項４】
請求項１に記載の電力段であって、
前記制御回路要素が、
電源が第１の数の所与のタイプのバッテリーを含む場合に、前記ハイサイドｐチャネルトランジスタを非活性化する一方で、前記ハイサイドｎチャネルトランジスタを前記ＤＣ−ＤＣ電圧コンバータの前記アクティブハイサイドトランジスタとして機能させ、
前記電源が第２の数の所与のタイプのバッテリーを含む場合に、前記ハイサイドｐチャネルトランジスタを非活性化する一方で、前記ハイサイドｎチャネルトランジスタを前記ＤＣ−ＤＣ電圧コンバータの前記アクティブハイサイドトランジスタとして機能させる、
ように更に動作し得る、電力段。
【請求項５】
請求項４に記載の電力段であって、
前記所定のタイプのバッテリーがＡＡセルを含み、前記第１の数のバッテリーが単一のバッテリーを含み、前記第２の数のバッテリーが２つのバッテリーを含む、電力段。
【請求項６】
請求項１に記載の電力段であって、
前記ハイサイドｎチャネルトランジスタがＮＭＯＳトランジスタを含み、前記ハイサイドｐチャネルトランジスタがＰＭＯＳトランジスタを含む、電力段。
【請求項７】
ＤＣ−ＤＣ電圧コンバータであって、
供給電圧入力と、
前記供給電圧入力に結合されるドレインと、第１のノードに結合されるソースと、ゲートとを含むハイサイドｎチャネルトランジスタと、
前記供給電圧入力に結合されるソースと、前記第１のノードに結合されるドレインと、ゲートとを含むハイサイドｐチャネルトランジスタと、
前記第１のノードに結合されるドレインと、接地に結合されるソースと、ゲートとを含むローサイドｎチャネルトランジスタと、
前記第１のノードとコンバータ出力との間に結合されるインダクタと、
前記コンバータ出力と前記接地との間に結合されるキャパシタと、
前記供給電圧入力に結合される供給電圧に関する情報を受け取るように動作し得る制御回路要素であって、
前記供給電圧が所定の閾値を下回る場合に、前記ハイサイドｐチャネルトランジスタのゲートに前記供給電圧に実質的に等しい定電圧を提供することによって前記ハイサイドｐチャネルトランジスタを非活性化する一方で、前記ハイサイドｎチャネルトランジスタを前記ＤＣ−ＤＣ電圧コンバータのアクティブハイサイドトランジスタとして機能させ、
前記供給電圧が前記所定の閾値を上回る場合に、前記ハイサイドｎチャネルトランジスタを非活性化する一方で、前記ＤＣ−ＤＣ電圧コンバータの出力電圧をレギュレートするために前記ハイサイドｐチャネルトランジスタのゲートに提供されるゲート駆動信号のデューティサイクルをレギュレートすることによって前記ハイサイドｐチャネルトランジスタを前記ＤＣ−ＤＣ電圧コンバータの前記アクティブハイサイドトランジスタとして機能させる、
ように更に動作し得る、前記制御回路要素と、
を含む、ＤＣ−ＤＣ電圧コンバータ。
【請求項８】
請求項７に記載のＤＣ−ＤＣ電圧コンバータであって、
前記ハイサイドｎチャネルトランジスタのゲートに提供される前記ゲート駆動信号の電圧をブーストするように動作し得るチャージポンプ回路を更に含む、ＤＣ−ＤＣ電圧コンバータ。
【請求項９】
請求項７に記載のＤＣ−ＤＣ電圧コンバータであって、
前記供給電圧が前記所定の閾値電圧を上回る場合に、前記制御回路が、前記ハイサイドｎチャネルトランジスタのゲートに０ボルトに実質的に等しい定電圧を提供し、それにより、前記ハイサイドｎチャネルトランジスタを非活性化し、前記ＤＣ−ＤＣ電圧コンバータの出力電圧をレギュレートするために前記ハイサイドｐチャネルトランジスタのゲートに提供される前記ゲート駆動信号のデューティサイクルをレギュレートする、ように更に動作し得る、ＤＣ−ＤＣ電圧コンバータ。
【請求項１０】
請求項７に記載のＤＣ−ＤＣ電圧コンバータであって、
前記制御回路要素が、
電源が第１の数の所与のタイプのバッテリーを含む場合に、前記ハイサイドｐチャネルトランジスタを非活性化する一方で、前記ハイサイドｎチャネルトランジスタを前記ＤＣ−ＤＣ電圧コンバータの前記アクティブハイサイドトランジスタとして機能させ、
前記電源が第２の数の所与のタイプのバッテリーを含む場合に、前記ハイサイドｐチャネルトランジスタを非活性化する一方で、前記ハイサイドｎチャネルトランジスタを前記ＤＣ−ＤＣ電圧コンバータの前記アクティブハイサイドトランジスタとして機能させる、
ように更に動作し得る、ＤＣ−ＤＣ電圧コンバータ。
【請求項１１】
請求項１０に記載のＤＣ−ＤＣ電圧コンバータであって、
前記所定のタイプのバッテリーがＡＡセルを含み、前記第１の数のバッテリーが単一のバッテリーを含み、前記第２の数のバッテリーが２つのバッテリーを含む、ＤＣ−ＤＣ電圧コンバータ。
【請求項１２】
請求項７に記載のＤＣ−ＤＣ電圧コンバータであって、
前記ハイサイドｎチャネルトランジスタがＭＯＳトランジスタを含み、前記ハイサイドｐチャネルトランジスタがＰＭＯＳトランジスタを含む、ＤＣ−ＤＣ電圧コンバータ。
【請求項１３】
ＤＣ−Ｄ電圧Ｃコンバータの電力段を動作させる方法であって、
電源電圧入力に結合されるドレインと、前記ＤＣ−ＤＣ電圧コンバータの出力段に結合される第１のノードに結合されるソースと、ゲートとを含むハイサイドｎチャネルトランジスタを提供することと、
前記電源電圧入力に結合されるソースと、前記第１のノードに結合されるドレインと、ゲートとを含むハイサイドｐチャネルトランジスタを提供することと、
電源電圧を閾値電圧レベルと比較することと、
前記電源電圧が前記閾値電圧レベルより小さい場合に、前記ハイサイドｎチャネルトランジスタを前記ＤＣ−ＤＣ電圧コンバータのアクティブハイサイドトランジスタとして機能させ、前記ハイサイドｐチャネルトランジスタのゲートに前記電源電圧に実質的に等しい定電圧を提供することによって前記ハイサイドｐチャネルトランジスタを非活性化することと、
前記電源電圧が前記閾値電圧レベルより大きい場合に、前記ＤＣ−ＤＣ電圧コンバータの出力電圧をレギュレートするために前記ハイサイドｐチャネルトランジスタのゲートに提供されるゲート駆動信号のデューティサイクルをレギュレートすることによって前記ハイサイドｐチャネルトランジスタを前記ＤＣ−ＤＣ電圧コンバータの前記アクティブハイサイドトランジスタとして機能させ、前記ハイサイドｎチャネルトランジスタを非活性化することと、
を含む、方法。
【請求項１４】
請求項１３に記載の方法であって、
前記ハイサイドｎチャネルトランジスタのゲートに提供される前記ゲート駆動信号の電圧をチャージポンプを用いてブーストすることを更に含む、方法。
【請求項１５】
請求項１４に記載の方法であって、
前記電源電圧が前記所定の閾値電圧より大きい場合に、前記ハイサイドｎチャネルトランジスタのゲートに０ボルトに実質的に等しい定電圧を提供し、前記ハイサイドｎチャネルトランジスタを非活性化することを更に含む、方法。